(57)【要約】【課題】ネットワーク種別を考慮して、適切にＰＢＣＨの干渉をキャンセルする。【解決手段】本発明に係る移動通信方法は、移動局ＵＥが、無線基地局ｅＮＢに対して、ＰＢＣＨの干渉をキャンセルする能力があるか否かについて示す「ｐＢＣＨ-ＩｎｔｅｒｇｅｒｅｎｃｅＭｉｔｉｇａｔｉｏｎ-ｒ１１」を通知する工程と、無線基地局ｅＮＢが、「ｐＢＣＨ-ＩｎｔｅｒｇｅｒｅｎｃｅＭｉｔｉｇａｔｉｏｎ-ｒ１１」に基づいて、移動局ＵＥに対して、ＰＢＣＨの干渉をキャンセルすべきか否かについて指示する工程とを有する。【選択図】図４
2014072674.tif 000002
【特許請求の範囲】
【請求項１】
移動局が、無線基地局に対して、物理報知チャネルの干渉をキャンセルする能力があるか否かについて示す干渉キャンセル能力情報を通知する工程と、
前記無線基地局が、前記干渉キャンセル能力情報に基づいて、前記移動局に対して、前記物理報知チャネルの干渉をキャンセルすべきか否かについて指示する工程とを有することを特徴とする移動通信方法。
【請求項２】
移動局であって、
無線基地局に対して、物理報知チャネルの干渉をキャンセルする能力があるか否かについて示す干渉キャンセル能力情報を通知するように構成されている送信部と、
前記無線基地局からの指示に応じて、前記物理報知チャネルの干渉をキャンセルすべきか否かについて決定するように構成されている制御部とを具備することを特徴とする移動局。
【請求項３】
無線基地局であって、
移動局から、物理報知チャネルの干渉をキャンセルする能力があるか否かについて示す干渉キャンセル能力情報を取得するように構成されている受信部と、
前記干渉キャンセル能力情報に基づいて、前記移動局に対して、前記物理報知チャネルの干渉をキャンセルすべきか否かについて指示するように構成されている送信部とを具備することを特徴とする無線基地局。
【発明の詳細な説明】
【技術分野】
【０００１】
本発明は、移動通信方法、移動局及び無線基地局に関する。
【背景技術】
【０００２】
３ＧＰＰでは、移動局ＵＥにおいて、ＭＩＢ（Ｍａｓｔｅｒ  Ｉｎｆｏｒｍａｔｉｏｎ  Ｂｌｏｃｋ）を送信するＰＢＣＨ（Ｐｈｙｓｉｃａｌ  Ｂｒｏａｄｃａｓｔ  Ｃｈａｎｎｅｌ）の干渉をキャンセルする仕組みについて検討されている。
【０００３】
移動局ＵＥにおいて、ＰＢＣＨの干渉をキャンセルする場合（「ＰＢＣＨ  Ｉｎｔｅｒｆｅｒｅｎｃｅ  ｃａｎｃｅｌ」を行う場合）、マクロセルとピコセルとの間でＳＦＮ（Ｓｙｓｔｅｍ  Ｆｒａｍｅ  Ｎｕｍｂｅｒ）同期が取られていることが前提となっている。
【０００４】
ここで、ＴＤＤネットワークでは、マクロセルとピコセルとの間でＳＦＮ同期が取られていることが必須であるが、ＦＤＤネットワークでは、ＳＦＮ同期が取られていることが必須ではなく、図９に示すように、マクロセルとピコセルとの間で、サブフレーム単位で時間方向にＳＦＮをシフトすることができる。
【０００５】
このように、サブフレーム単位で時間方向にＳＦＮをシフトすれば、マクロセルとピコセルとの間で、ＰＢＣＨの位置がずれるため、お互いの干渉を回避することができる。
【０００６】
以上の点を考慮すると、ＴＤＤネットワークでは、移動局ＵＥにおいてＰＢＣＨの干渉をキャンセルする方法は有効であるが、ＦＤＤネットワークでは、上述のシフトによってマクロセルとピコセルとの間におけるＰＢＣＨの干渉を回避することができるため、移動局ＵＥにおいてＰＢＣＨの干渉をキャンセルする必要はない。
【先行技術文献】
【非特許文献】
【０００７】
【非特許文献１】３ＧＰＰ  ＴＳ３６.３００
【非特許文献２】３ＧＰＰ  ＴＳ３６.３３１
【発明の概要】
【発明が解決しようとする課題】
【０００８】
しかしながら、従来の移動通信システムでは、ＦＤＤネットワークとＴＤＤネットワークとを区別してＰＢＣＨの干渉をキャンセルするための仕組みが存在しないという問題点があった。
【０００９】
そこで、本発明は、上述の課題に鑑みてなされたものであり、ネットワーク種別を考慮して、適切にＰＢＣＨの干渉をキャンセルすることができる移動通信方法、移動局及び無線基地局を提供することを目的とする。
【課題を解決するための手段】
【００１０】
本発明の第１の特徴は、移動通信方法であって、移動局が、無線基地局に対して、物理報知チャネルの干渉をキャンセルする能力があるか否かについて示す干渉キャンセル能力情報を通知する工程と、前記無線基地局が、前記干渉キャンセル能力情報に基づいて、前記移動局に対して、前記物理報知チャネルの干渉をキャンセルすべきか否かについて指示する工程とを有することを要旨とする。
【００１１】
本発明の第２の特徴は、移動局であって、無線基地局に対して、物理報知チャネルの干渉をキャンセルする能力があるか否かについて示す干渉キャンセル能力情報を通知するように構成されている送信部と、前記無線基地局からの指示に応じて、前記物理報知チャネルの干渉をキャンセルすべきか否かについて決定するように構成されている制御部とを具備することを要旨とする。
【００１２】
本発明の第３の特徴は、無線基地局であって、移動局から、物理報知チャネルの干渉をキャンセルする能力があるか否かについて示す干渉キャンセル能力情報を取得するように構成されている受信部と、前記干渉キャンセル能力情報に基づいて、前記移動局に対して、前記物理報知チャネルの干渉をキャンセルすべきか否かについて指示するように構成されている送信部とを具備することを要旨とする。
【発明の効果】
【００１３】
以上説明したように、本発明によれば、ネットワーク種別を考慮して、適切にＰＢＣＨの干渉をキャンセルすることができる移動通信方法、移動局及び無線基地局を提供することができる。
【図面の簡単な説明】
【００１４】
【図１】本発明の第１の実施形態に係る移動通信システムの全体構成図である。
【図２】本発明の第１の実施形態に係る移動局の機能ブロック図である。
【図３】本発明の第１の実施形態に係る移動局によって送信される「ＵＥ-ＥＵＴＲＡ-Ｃａｐａｂｉｌｉｔｙ  Ｉｎｆｏｒｍａｔｉｏｎ」のフォーマットの一例を示す図である。
【図４】本発明の第１の実施形態に係る無線基地局によって送信される「ＲＲＣＣｏｎｎｅｃｔｉｏｎＲｅｃｏｎｆｉｇｕｒａｔｉｏｎ」のフォーマットの一例を示す図である。
【図５】本発明の第１の実施形態に係る無線基地局によって送信される「ＲＲＣＣｏｎｎｅｃｔｉｏｎＲｅｃｏｎｆｉｇｕｒａｔｉｏｎ」内の情報要素「ＲａｄｉｏＲｅｓｏｕｒｃｅＣｏｎｆｉｇＤｅｄｉｃａｔｅｄ」のフォーマットの一例を示す図である。
【図６】本発明の第１の実施形態に係る無線基地局によって送信される「ＲＲＣＣｏｎｎｅｃｔｉｏｎＲｅｃｏｎｆｉｇｕｒａｔｉｏｎ」内の情報要素「ＲａｄｉｏＲｅｓｏｕｒｃｅＣｏｎｆｉｇＤｅｄｉｃａｔｅｄ」内の情報要素「ＰｈｙｓｉｃａｌＣｏｎｆｉｇＤｅｄｉｃａｔｅｄ」のフォーマットの一例を示す図である。
【図７】本発明の第１の実施形態に係る無線基地局の機能ブロック図である。
【図８】本発明の第１の実施形態に係る移動通信システムの動作を示すシーケンス図である。
【図９】従来技術を説明するための図である。
【発明を実施するための形態】
【００１５】
（本発明の第１の実施形態に係る移動通信システム）
図１乃至図８を参照して、本発明の第１の実施形態に係る移動通信システムについて説明する。
【００１６】
図１に示すように、本実施形態に係る移動通信システムは、ＬＴＥ（Ｌｏｎｇ  Ｔｅｒｍ  Ｅｖｏｌｕｔｉｏｎ）方式の移動通信システムであって、無線基地局ｅＮＢと、移動局ＵＥとを具備している。
【００１７】
なお、本発明は、ＬＴＥ方式の移動通信システム以外の移動通信システムに対しても適用可能である。
【００１８】
また、ＬＴＥ方式の移動通信システムは、ＴＤＤネットワークを有していてもよいし、ＦＤＤネットワークを有していてもよいし、ＴＤＤネットワーク及びＦＤＤネットワークの両方を有していてもよい。
【００１９】
図２に示すように、本実施形態に係る移動局ＵＥは、管理部１１と、送信部１２と、受信部１３と、制御部１４とを具備している。
【００２０】
管理部１１は、移動局ＵＥの能力情報を管理するように構成されている。例えば、管理部１１は、移動局ＵＥの能力情報として、ＰＢＣＨの干渉をキャンセルする能力があるか否かについて示す情報を管理するように構成されていてもよい。
【００２１】
送信部１２は、無線基地局ｅＮＢに対して各種信号を送信するように構成されており、受信部１３は、無線基地局ｅＮＢから各種信号を受信するように構成されている。
【００２２】
例えば、送信部１２は、無線基地局ｅＮＢに対して、ＰＢＣＨの干渉をキャンセルする能力があるか否かについて示す干渉キャンセル能力情報としての「ｐＢＣＨ-ＩｎｔｅｒｇｅｒｅｎｃｅＭｉｔｉｇａｔｉｏｎ-ｒ１１」を通知するように構成されている。
【００２３】
図３に示すように、かかる「ｐＢＣＨ-ＩｎｔｅｒｇｅｒｅｎｃｅＭｉｔｉｇａｔｉｏｎ-ｒ１１」は、移動局ＵＥから無線基地局ｅＮＢに送信される「ＵＥ-ＥＵＴＲＡ-Ｃａｐａｂｉｌｉｔｙ  Ｉｎｆｏｒｍａｔｉｏｎ」内の情報要素として送信されるように構成されている。
【００２４】
また、受信部１３は、無線基地局ｅＮＢから、ＰＢＣＨの干渉をキャンセルすべきか否かについて指示する「ｐＢＣＨ-ＩｎｔｅｒｆｅｒｅｎｃｅＣａｎｃｅｌｌｅｒ」を受信するように構成されている。
【００２５】
かかる「ｐＢＣＨ-ＩｎｔｅｒｆｅｒｅｎｃｅＣａｎｃｅｌｌｅｒ」は、無線基地局ｅＮＢから移動局ＵＥに送信される「ＲＲＣＣｏｎｎｅｃｔｉｏｎＲｅｃｏｎｆｉｇｕｒａｔｉｏｎ（図４参照）」内の情報要素「ＲａｄｉｏＲｅｓｏｕｒｃｅＣｏｎｆｉｇＤｅｄｉｃａｔｅｄ（図５参照）」内の情報要素「ＰｈｙｓｉｃａｌＣｏｎｆｉｇＤｅｄｉｃａｔｅｄ（図６参照）」として送信されるように構成されている。
【００２６】
制御部１４は、移動局ＵＥにおける各種制御を行うように構成されている。例えば、制御部１４は、無線基地局ｅＮＢからの指示である「ｐＢＣＨ-ＩｎｔｅｒｇｅｒｅｎｃｅＭｉｔｉｇａｔｉｏｎ-ｒ１１」に応じて、ＰＢＣＨの干渉をキャンセルすべきか否かについて決定するように構成されている。
【００２７】
図７に示すように、本実施形態に係る無線基地局ｅＮＢは、受信部２１と、送信部２２とを具備している。
【００２８】
受信部２１は、移動局ＵＥから各種信号を受信するように構成されており、送信部２２は、移動局ＵＥに対して各種信号を送信するように構成されている。
【００２９】
例えば、受信部２１は、移動局ＵＥから、ＰＢＣＨの干渉をキャンセルする能力があるか否かについて示す「ｐＢＣＨ-ＩｎｔｅｒｇｅｒｅｎｃｅＭｉｔｉｇａｔｉｏｎ-ｒ１１」を取得するように構成されている。
【００３０】
また、送信部２２は、かかる「ｐＢＣＨ-ＩｎｔｅｒｇｅｒｅｎｃｅＭｉｔｉｇａｔｉｏｎ-ｒ１１」に基づいて、移動局ＵＥに対して、ＰＢＣＨの干渉をキャンセルすべきか否かについて指示する「ｐＢＣＨ-ＩｎｔｅｒｇｅｒｅｎｃｅＭｉｔｉｇａｔｉｏｎ-ｒ１１」を送信するように構成されている。
【００３１】
例えば、移動局ＵＥが、ＰＢＣＨの干渉をキャンセルする能力がある場合で、かつ、ＴＤＤネットワークが採用されている場合、送信部２２は、移動局ＵＥに対して、ＰＢＣＨの干渉をキャンセルすべきであると指示する「ｐＢＣＨ-ＩｎｔｅｒｇｅｒｅｎｃｅＭｉｔｉｇａｔｉｏｎ-ｒ１１」を送信するように構成されていてもよい。
【００３２】
一方、ＦＤＤネットワークが採用されている場合、送信部２２は、移動局ＵＥに対して、ＰＢＣＨの干渉をキャンセルすべきでないと指示する「ｐＢＣＨ-ＩｎｔｅｒｇｅｒｅｎｃｅＭｉｔｉｇａｔｉｏｎ-ｒ１１」を送信するように構成されていてもよい。
【００３３】
なお、移動局ＵＥが、ＰＢＣＨの干渉をキャンセルする能力がない場合には、送信部２２は、移動局ＵＥに対して、ＰＢＣＨの干渉をキャンセルすべきであると指示する「ｐＢＣＨ-ＩｎｔｅｒｇｅｒｅｎｃｅＭｉｔｉｇａｔｉｏｎ-ｒ１１」を送信しないように構成されていてもよい。
【００３４】
以下、図８を参照して、本実施形態に係る移動通信システムの動作について説明する。
【００３５】
図８に示すように、ステップＳ１００１において、移動局ＵＥは、無線基地局ｅＮＢに対して、「ＲＲＣ  Ｃｏｎｎｅｃｔｉｏｎ  Ｒｅｑｕｅｓｔ」を送信し、ステップＳ１００２において、無線基地局ｅＮＢは、移動局ＵＥに対して、「ＲＲＣ  Ｃｏｎｎｅｃｔｉｏｎ  Ｓｅｔｕｐ」を送信し、ステップＳ１００３において、移動局ＵＥは、無線基地局ｅＮＢに対して、「Ａｔｔａｃｈ  Ｒｅｑｕｅｓｔ」を含む「ＲＲＣ  Ｃｏｎｎｅｃｔｉｏｎ  Ｓｅｔｕｐ  Ｃｏｍｐｌｅｔｅ」を送信する。
【００３６】
ステップＳ１００４において、無線基地局ｅＮＢは、移動局ＵＥに対して、「（ＲＲＣ）ＵＥ  Ｃａｐａｂｉｌｉｔｙ  Ｅｎｑｕｉｒｙ」を送信する。
【００３７】
移動局ＵＥは、無線基地局ｅＮＢに対して、ステップＳ１００５において、上述の「ｐＢＣＨ-ＩｎｔｅｒｇｅｒｅｎｃｅＭｉｔｉｇａｔｉｏｎ-ｒ１１」を含む「（ＲＲＣ）ＵＥ-ＥＵＴＲＡ-Ｃａｐａｂｉｌｉｔｙ  Ｉｎｆｏｒｍａｔｉｏｎ」を送信する。
【００３８】
無線基地局ｅＮＢは、移動局ＵＥに対して、ステップＳ１００６において、「Ｓｅｃｕｒｉｔｙ  Ｍｏｄｅ  Ｃｏｍｍａｎｄ」を送信し、ステップＳ１００７において、ＰＢＣＨの干渉をキャンセルすべきか否かについて指示する「ｐＢＣＨ-ＩｎｔｅｒｇｅｒｅｎｃｅＭｉｔｉｇａｔｉｏｎ-ｒ１１」及び「Ａｔｔａｃｈ  Ａｃｃｅｐｔ」を含む「ＲＲＣ  Ｃｏｎｎｅｃｔｉｏｎ  Ｒｅｃｏｎｆｉｇｕｒａｔｉｏｎ」を送信する。
【００３９】
移動局ＵＥは、無線基地局ｅＮＢに対して、ステップＳ１００８において、「Ｓｅｃｕｒｉｔｙ  Ｍｏｄｅ  Ｃｏｍｐｌｅｔｅ」を送信し、ステップＳ１００９において、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００４０】
（変更例１）
以下、本発明の変更例１に係る移動通信システムについて、上述の第１の実施形態に係る移動通信システムとの相違点に着目して説明する。
【００４１】
移動局ＵＥの制御部１４は、自律的に、サービングセルと干渉源となる周辺セルとの間でＰＢＣＨの時間的位置が同じであるか否かについて判定し、ＰＢＣＨの時間的位置が同じであると判定した場合には、ＰＢＣＨの干渉をキャンセルすべきであると決定し、ＰＢＣＨの時間的位置が同じではないと判定した場合には、ＰＢＣＨの干渉をキャンセルすべきではないと決定するように構成されていてもよい。
【００４２】
以上に述べた本実施形態の特徴は、以下のように表現されていてもよい。
【００４３】
本実施形態の第１の特徴は、移動通信方法であって、移動局ＵＥが、無線基地局ｅＮＢに対して、ＰＢＣＨ（物理報知チャネル）の干渉をキャンセルする能力があるか否かについて示す「ｐＢＣＨ-ＩｎｔｅｒｇｅｒｅｎｃｅＭｉｔｉｇａｔｉｏｎ-ｒ１１（干渉キャンセル能力情報）」を通知する工程と、無線基地局ｅＮＢが、「ＰＢＣＨ-ＩＣ  ｃａｐａｂｉｌｉｔｙ/ｐＢＣＨ-ＩｎｔｅｒｇｅｒｅｎｃｅＭｉｔｉｇａｔｉｏｎ-ｒ１１」に基づいて、移動局ＵＥに対して、ＰＢＣＨの干渉をキャンセルすべきか否かについて指示する工程とを有することを要旨とする。
【００４４】
かかる構成によれば、無線基地局ｅＮＢが、ネットワーク種別（ＴＤＤネットワーク或いはＦＤＤネットワーク）及び移動局ＵＥの干渉キャンセル能力情報を考慮して、適切にＰＢＣＨの干渉をキャンセルすることができる。
【００４５】
本実施形態の第２の特徴は、移動局ＵＥであって、無線基地局ｅＮＢに対して、ＰＢＣＨの干渉をキャンセルする能力があるか否かについて示す「ｐＢＣＨ-ＩｎｔｅｒｇｅｒｅｎｃｅＭｉｔｉｇａｔｉｏｎ-ｒ１１」を通知するように構成されている送信部１２と、無線基地局ｅＮＢからの指示に応じて、ＰＢＣＨの干渉をキャンセルすべきか否かについて決定するように構成されている制御部１４とを具備することを要旨とする。
【００４６】
かかる構成によれば、移動局ＵＥが、無線基地局ｅＮＢに対して、移動局ＵＥにおいてＰＢＣＨの干渉をキャンセルすべきか否かについての判定に用いることができる干渉キャンセル能力情報と通知することができる。
【００４７】
本実施形態の第３の特徴は、無線基地局ｅＮＢであって、移動局ＵＥから、ＰＢＣＨの干渉をキャンセルする能力があるか否かについて示す「ｐＢＣＨ-ＩｎｔｅｒｇｅｒｅｎｃｅＭｉｔｉｇａｔｉｏｎ-ｒ１１」を取得するように構成されている受信部２１と、かかるＰＢＣＨの干渉をキャンセルする能力があるか否かについて示す「ｐＢＣＨ-ＩｎｔｅｒｇｅｒｅｎｃｅＭｉｔｉｇａｔｉｏｎ-ｒ１１」に基づいて、移動局ＵＥに対して、ＰＢＣＨの干渉をキャンセルすべきか否かについて指示するように構成されている送信部２２とを具備することを要旨とする。
【００４８】
かかる構成によれば、無線基地局ｅＮＢが、ネットワーク種別（ＴＤＤネットワーク或いはＦＤＤネットワーク）及び移動局ＵＥの干渉キャンセル能力情報を考慮して、適切にＰＢＣＨの干渉をキャンセルすることができる。
【００４９】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００５０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００５２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５３】
ｅＮＢ…無線基地局
ＵＥ…移動局
１１…管理部
１２、２２…送信部
１３、２１…受信部
１４…制御部
【図１】
2014072674.tif 000003
【図２】
2014072674.tif 000004
【図３】
2014072674.tif 000005
【図４】
2014072674.tif 000006
【図５】
2014072674.tif 000007
【図６】
2014072674.tif 000008
【図７】
2014072674.tif 000009
【図８】
2014072674.tif 000010
【図９】
2014072674.tif 000011